(57)【要約】【課題】扉のスロート部に照明装置を設けたもので、照射光が貯蔵室の棚の前縁飾りで反射されても、それが使用者の目に入ってまぶしく感じられることのない貯蔵庫を提供する。【解決手段】内部に冷蔵室６（貯蔵室）を有し、その冷蔵室６に通じる開口部８を前面に有する庫本体１と、この庫本体１の開口部８を開閉するように設けられ、冷蔵室６に面する背面部にスロート部２１を有する扉２と、この扉２のスロート部２１に設けられて、扉２の開放時に冷蔵室６を照明する照明装置２５とを具備し、照明装置２５の冷蔵室６に対する照射角度Ｌを上下方向に傾かせた。【選択図】図１
2014238218.tif 000002
【特許請求の範囲】
【請求項１】
内部に貯蔵室を有し、その貯蔵室に通じる開口部を前面に有する庫本体と、
この庫本体の前記開口部を開閉するように設けられ、前記貯蔵室に面する背面部にスロート部を有する扉と、
この扉の前記スロート部に設けられて、その扉の開放時に前記貯蔵室を照明する照明装置とを具備し、
前記照明装置の前記貯蔵室に対する照射角度を上下方向に傾かせたことを特徴とする貯蔵庫。
【請求項２】
前記照明装置の前記貯蔵室に対する照射角度を下向きに傾かせたことを特徴とする請求項１記載の貯蔵庫。
【発明の詳細な説明】
【技術分野】
【０００１】
本発明の実施形態は貯蔵庫に関する。
【背景技術】
【０００２】
従来より、冷蔵庫や冷凍庫あるいは温蔵庫等の貯蔵庫においては、庫内の貯蔵室を照明する庫内灯が設けられている。この庫内灯は、貯蔵室の側面や奥面など室壁面に設けられており、その室壁面から貯蔵室を照明するようになっている。
しかしながら、そのように貯蔵室の室壁面から貯蔵室を照明するものでは、庫内灯の近辺に貯蔵品が置かれることがあり、その場合、照明が貯蔵品で遮られ、貯蔵室に対する照度の低下が大きくなる。又、貯蔵室の奥面に庫内灯が設けられたものでは、扉を開けて貯蔵室を覗く使用者の目に照射光が直接入り、まぶしく感じられる。
【０００３】
それに対して、貯蔵室に面する扉の背面部に存在するスロート部に庫内灯を設けたものが存在する（例えば特許文献１参照）。
【先行技術文献】
【特許文献】
【０００４】
【特許文献１】特開平１１−８３３０６号公報
【発明の概要】
【発明が解決しようとする課題】
【０００５】
上述の、扉のスロート部に庫内灯を設けたものでは、扉をあけたときの庫内灯の近辺に貯蔵品が置かれることがなく、従って、照明が貯蔵品で遮られることがなく、貯蔵室に対する照度の低下が大きくなることはない。又、扉を開けて貯蔵室を覗く使用者の目に照射光が直接目に入るということもなく、まぶしく感じられることが少ない。
【０００６】
しかしながら、扉の開放時、庫内灯の照射光が貯蔵室に存在する棚の光沢のある前縁飾りを照らして反射され、それが使用者の目に入ってまぶしく感じられる。これは、扉のスロート部に庫内灯を設けて、扉の開放時に前側から貯蔵室を照明するようにしたものであるからこそ生じる問題点であり、貯蔵室の室壁面に庫内灯を設けて側方側や奥方側から貯蔵室を照明するものでは生じない問題点である。
【０００７】
そこで、扉のスロート部に照明装置を設けたもので、照射光が貯蔵室の棚の前縁飾りで反射されても、それが使用者の目に入ってまぶしく感じられることのない貯蔵庫を提供する。
【課題を解決するための手段】
【０００８】
本実施形態の貯蔵庫は、内部に貯蔵室を有し、その貯蔵室に通じる開口部を前面に有する庫本体と、この庫本体の前記開口部を開閉するように設けられ、前記貯蔵室に面する背面部にスロート部を有する扉と、この扉の前記スロート部に設けられて、その扉の開放時に前記貯蔵室を照明する照明装置とを具備し、前記照明装置の前記貯蔵室に対する照射角度を上下方向に傾かせたことを特徴とする。
【図面の簡単な説明】
【０００９】
【図１】一実施形態を示す冷蔵庫上半部の冷蔵室片側扉開放状態での縦断側面図
【図２】冷蔵庫の冷蔵室両扉閉鎖状態での横断面図
【図３】冷蔵室片側扉単体の斜視図
【図４】照明装置部分の拡大横断面図
【図５】冷蔵庫の冷蔵室両扉開放状態での横断面図
【図６】冷蔵庫の冷蔵室片側扉開放状態での横断面図
【発明を実施するための形態】
【００１０】
以下、冷蔵庫に適用した一実施形態につき、図面を参照して説明する。
まず、図１には、冷蔵庫全体のうちの上半部を示しており、１が庫本体、２が扉を示している。このうち、庫本体１は、外箱３に内箱４を組合わせ、この外箱３と内箱４との間に断熱材５を充填して成るもので、内箱４の内部の最上部が冷蔵室６となっており、その下方が野菜室７となっている。これらの冷蔵室６及び野菜室７は貯蔵室であり、それぞれ前面は各貯蔵室に通じる開口部８，９となっている。
【００１１】
冷蔵室６の内部には、棚１０を複数段に設けており、そのいずれの棚１０も前縁部に光沢のある飾り（前縁飾り）１０ａを有しており、最下部には貯蔵容器１１が引出し可能に位置する貯蔵容器室１２を有している。
それに対して、野菜室７は、図示しない野菜容器を引出し可能に有するものであり、その後方の奥部に、図示しないが、各貯蔵室を冷却するための、冷却器や庫内空気循環ファンが位置する冷却器室を有している。
【００１２】
一方、扉２は、冷蔵室６の前面の開口部８を開閉するものであり、図２に示すように、外板１３に内板１４を組合わせ、この外板１３と内板１４との間に発泡断熱材１５を充填して成るもので、左側に存在する。そして、右側にも今一枚の扉１６があって、この扉１６も、冷蔵室６の前面の開口部８を開閉するものであり、外板１７に内板１８を組合わせ、この外板１７と内板１８との間に発泡断熱材１９を充填して成るものである。
【００１３】
すなわち、冷蔵室６の前面の開口部８は、扉２と扉１６の２枚の扉で開閉するようにしており、詳しくは図示しないが、扉２は左端部を庫本体１に軸支し、扉１６は右端部を庫本体１に軸支して、それぞれその各軸支部分を中心に回動する開き戸式で且つ観音開き式に開閉可能に設けている。なお、左側の扉２には、左右間の仕切部材２０を、扉２の開放に支障を来たさない可動構造で取付けている。
【００１４】
扉２，１６は、それぞれ冷蔵室６に面する背面部である内板１４，１８の背面にスロート部２１，２２を有している。これらのスロート部２１，２２は、図３に扉２のスロート部２１で代表して示すように、内板１４，１８の各背面の周囲部から矩形の枠状に突出するもので、中空である。又、これらのスロート部２１，２２の各囲繞空間には、ポケット部２３，２４を複数段に設けている（ポケット部２４は図２に示す）。そして、これらのスロート部２１，２２の各軸支部分側で上下方向に延びる一辺部の上下の中間部には、それぞれ照明装置２５，２６を設けている。
【００１５】
図４は、上記照明装置２５，２６の詳細を、扉２の照明装置２５で代表して示しており、スロート部２１，２２の内部には基板ホルダ２７を組込んでいる。この基板ホルダ２７は、全体にスロート部２１，２２の内面に添う形状のもので、前側（図４では下側）が開口し先細で後側（同上側）が閉塞された容器状を成しており、スロート部２１，２２の内面に固着して固定している。又、この基板ホルダ２７は、全体に例えば灰色で遮光性を有するものであり、スロート部２１，２２の外側（ポケット部２３，２４側とは反対側）に面する外側面部に開口部２８を形成しており、この開口部２８に対応してスロート部２１，２２の外側部にもそれとほゞ同じ大きさで同じ形状の開口部２９を形成している。更に、この基板ホルダ２７の開口部２８に面する内側面部の内側には、基板保持爪３０を設けている。
【００１６】
これに対して、扉２，１６の外板１３，１７の内部には、コネクタハウジング３１を組込んでいる。このコネクタハウジング３１は、基部３１ａが外板１３，１７の内面に添うもので、この基部３１ａをその外板１３，１７の内面に固着して固定している。又、コネクタハウジング３１の基部３１ａより後方（図４では上方）には、直方体状のケース部３１ｂを形成しており、更に、そのケース部３１ｂの後壁部のほゞ中央にはリード線挿通孔３１ｃを形成し、このリード線挿通孔３１ｃにシール３２を介してリード線３３を密に挿通している。すなわち、ケース部３１ｂのリード線挿通孔３１ｃは、リード線３３を挿通する状態でシール３２により密閉している。
【００１７】
リード線３３は、前記庫本体１から扉２の軸支部分中を通して給電をするもので、ケース部３１ｂ外（基板ホルダ２７側）に位置した先端部に入力側のコネクタ３４を有している。
扉１６の照明装置２６は、上記扉２の照明装置２５とは左右対称の構造で設けている。
【００１８】
この構成で、外板１３，１７の内部に前記発泡断熱材１５，１９（例えば発泡ポリウレタン）を注入し、内板１４，１８を外板１３，１７に組合わせ結合する。又、このとき、前記基板ホルダ２７の前側の開口縁部にはシール３５を貼着しておき、このシール３５を、コネクタハウジング３１のケース部３１ｂの後面（リード線挿通孔３１ｃの周囲部分）に圧接させることにより、基板ホルダ２７の内部を外板１３，１７の内部から密に封止している。これにより、外板１３，１７の内部に注入した発泡断熱材１５，１９は、基板ホルダ２７の内部に侵入することなく、扉２では外板１３と内板１４との間、扉１６では外板１７と内板１８との間に、それぞれ充填される。
【００１９】
この後、照明装置２５，２６の光源であるＬＥＤ３６を実装した回路基板３７が有するリード線３８の先端部に設けた出力側のコネクタ３９を、前記入力側のコネクタ３４に接続し、回路基板３７を基板ホルダ２７の開口部２８から基板保持爪３０に係合させて装着する。そして、基板ホルダ２７の開口部２８には、シェード４０を装着して開口部２８，２９を閉塞する。
なお、スロート部２１，２２の余剰空間には、発泡スチロール等の断熱材４１を装填している。
【００２０】
図１は、以上のようにして照明装置２５を組込んだ扉２を開放状態で表しており、この図１に矢印Ｌで示すように、照明装置２５のＬＥＤ３６からシェード４０を透して前記冷蔵室６に照射される光の照射角度は、上下方向に傾かせており、中でも下向きに傾かせている（扉１６側も、図示しないが同様である）。
【００２１】
この照射角度Ｌについては、回路基板３７を同方向に傾かせて設置することにより実現するようにしており、そのほか、回路基板３７は傾かせずにシェード４０に光の屈折を同方向にするものを使用したり、ＬＥＤ３６に脚（リード）の長い砲弾形状のものを使用して、その脚の例えば一方を曲げることにより、ＬＥＤ３６を同方向に傾けて実装したり、回路基板３７に小さく複数に分けたものを使用して、それらを同方向に傾かせて設置したりすることでも実現できる。
【００２２】
又、図２には、照明装置２５，２６に対応して庫本体１の断熱壁中に設けた扉開閉検知手段であるスイッチ４２，４３を示しており、これらは例えばタクトスイッチやマイクロスイッチであって、詳しくは図示しないが、ともに庫本体１の内部に突出した突子が扉２，１６の閉鎖によりスロート部２１，２２（各軸支部分側の一辺部）で押圧されることによって、扉２，１６の閉鎖を検知し、その突子の押圧が扉２，１６の閉鎖により解除されることにより、扉２，１６の開放を検知するようになっている。照明装置２５，２６は、このスイッチ４２，４３が扉２，１６の開放を検知したときにＬＥＤ３６を発光させ、扉２，１６の閉鎖を検知したときにＬＥＤ３６を消光させるようになっている。
【００２３】
次に、上記構成の冷蔵庫の作用を述べる。
上記構成の冷蔵庫においては、扉２，１６を開放すると、スイッチ４２，４３が扉２，１６の開放を検知することにより、照明装置２５，２６のＬＥＤ３６を発光させ、図５に照射域Ｓ１，Ｓ２で示すように、冷蔵室６を照明する。
【００２４】
又、この場合、扉２，１６の一方のみを開放すると、スイッチ４２，４３のうちの開放された扉側のスイッチが扉の開放を検知することにより、照明装置２５，２６のうちの開放された扉側の照明装置のＬＥＤ３６を発光させ、図６に扉１６が開放された場合で代表して示すように、冷蔵室６を照明する。すなわち、この場合には、扉２，１６のうちの開放された扉側の照明装置のＬＥＤ３６を発光させることのみを行い、開放されない扉側の照明装置のＬＥＤ３６を発光させることは行わない。これにより、消費電力の節減を図っている。
【００２５】
そして、上記構成の冷蔵庫においては、照明装置２５，２６を扉２，１６のスロート部２１，２２に設けており、冷蔵室６の室壁面に庫内灯を設けたもののような、扉２，１６をあけたときの照明装置の近辺に貯蔵品が置かれることがないので、照明が貯蔵品で遮られることがなく、従って、冷蔵室６に対する照度の低下が大きくなることがなく、且つ、扉２，１６を開けて冷蔵室６を覗く使用者の目に照射光が直接目に入るということもなくて、使用者にまぶしく感じられることが少ない。
【００２６】
併せて、上記構成の冷蔵庫においては、照明装置２５，２６の冷蔵室６に対する照射角度を上下方向に傾かせており、これによって、照射光が冷蔵室６の棚１０の前縁飾り１０ａで反射されても、それが使用者の目に入ってまぶしく感じられることもないようにできる。すなわち、既述の、扉２，１６のスロート部２１，２２に照明装置２５，２６を設けて、扉２，１６の開放時に前側から冷蔵室６を照明するようにしたものであるからこその問題点を解決できるのである。
【００２７】
更に、上記構成の冷蔵庫においては、照明装置２５，２６の冷蔵室６に対する照射角度を上下方向のうちでも下向きに傾かせており、これによって、棚１０の上に置いた貯蔵品を、下側から照明するよりも、上側から効果的に照明し、それの判別がより明確にできる。
【００２８】
そのほか、ＬＥＤ３６を実装した回路基板３７を装着した基板ホルダ２７は、全体に遮光性を有しており、これによって、ＬＥＤ３６の発光時に、その光によってスロート部２１，２２内の基板ホルダ２７やコネクタ３９，３４等のパーツがスロート部２１，２２の特にポケット部２３，２４側の側壁を透かせて見えるのを防ぐことができ、商品性を高めることができる。なお、基板ホルダ２７の遮光性は、基板ホルダ２７の全体ではなく、ポケット部２３，２４側にのみ有するものであっても良い。
【００２９】
加えて、上記構成の冷蔵庫においては、照明装置２５，２６の光源としてＬＥＤ３６を使用しており、ＬＥＤ３６は輝度が高くて嵩的にも薄形化が可能なものであり、薄いスロート部２１，２２に難なく組込むことができる。ちなみに、従来の庫内灯（蛍光灯）であると、これを薄いスロート部２１，２２に組込むには、庫内灯を小さくせざるを得ず、この小さい庫内灯では輝度が低くて充分な照明効果を得ることができない。その点、照明装置２５，２６の光源としてＬＥＤ３６を使用した上記構成の冷蔵庫においては、それを薄いスロート部２１，２２に組込むことが難なくできる上に輝度も高いので、充分な照明効果を得ることができる。
【００３０】
更に、ＬＥＤ３６の輝度の高さのため、冷蔵室６の棚１０の前縁飾り１０ａによる反射光も強くなるが、それを上記構成の冷蔵庫においては、照明装置２５，２６の冷蔵室６に対する照射角度を上下方向に傾かせたことにより、使用者の目に反射光が入ってまぶしく感じられることのないようにできるものでもある。
【００３１】
なお、上記構成の冷蔵庫（貯蔵庫）における照明装置２５，２６は、庫内を撮影するカメラを有するものでは、カメラ作動時に照明装置２５，２６を連動させることにより、照明による照明が庫内撮影時の補助となるようにすると良い。
【００３２】
以上説明した貯蔵庫は、上記実施形態にのみ限定されるものではなく、特に冷蔵庫以外の例えば冷凍庫や温蔵庫等の貯蔵庫への適用が可能であるなど、要旨を逸脱しない範囲内で適宜変更して実施し得る。
【００３３】
そのほか、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００３４】
図面中、１は庫本体、２は扉、６は冷蔵室（貯蔵室）、８は開口部、１６は扉、２１，２２はスロート部、２５，２６は照明装置、Ｌは照明装置の照射角度を示す。
【図１】
2014238218.tif 000003
【図２】
2014238218.tif 000004
【図３】
2014238218.tif 000005
【図４】
2014238218.tif 000006
【図５】
2014238218.tif 000007
【図６】
2014238218.tif 000008